(57)【特許請求の範囲】
【請求項１】
利用者へ車両の各種状態を視覚的に報知する第１の表示部と前記車両の各種状態を聴覚的に報知する聴覚情報提供手段と前記第１の表示部及び前記聴覚情報提供手段を動作させる第１の制御手段とを有する車両搭載機器と、
前記車両搭載機器と接続手段を介して接続され、前記第１の制御手段に対して車両の外部情報を出力する第２の制御手段を有する外部機器とを備え、
前記第１の制御手段は、前記車両の各種状態に応じて、前記第２の制御手段に起動信号を出力し、
前記第２の制御手段は、前記起動信号を受信すると、前記起動信号に対応した前記車両の外部情報を前記第１の制御手段に出力し、
前記第１の制御手段は、前記起動信号に対応した前記車両の外部情報が前記聴覚情報提供手段に備えられる吹鳴手段から吹鳴音として出力されるように、前記聴覚情報提供手段を動作させるとともに、前記吹鳴音の吹鳴と同期して前記吹鳴音と関連のある視覚情報を前記第１の表示部に表示させるべく、前記第１の表示部を動作させ、
さらに前記第１の制御手段は、前記吹鳴音の吹鳴が停止してから所定時間経過後において、前記第１の表示部に表示されていた前記視覚情報が前記車両の各種状態を示す車両状態情報へと移行するように前記第１の表示部を動作させ、
前記外部機器は、前記車両の外部情報を複数種、表示可能なカスタマイズ画面を構成する第２の表示部を有し、
前記第２の表示部は、前記カスタマイズ画面にて前記利用者により複数種の前記車両の外部情報のうち所定の前記車両の外部情報が選択された際に、前記吹鳴手段から吹鳴される前記吹鳴音を前記利用者が選ぶことが可能な複数の選択肢を表示することを特徴とする車両用情報提供装置。
【請求項２】
前記車両の各種状態は、前記利用者が車両のドアを開けた第１の状態、または前記利用者が前記車両のドアを閉めた第２の状態のうち何れかの状態であり、
前記吹鳴音は、前記第１の状態または前記第２の状態を契機として、前記吹鳴手段から出力されるオープニング音からなることを特徴とする請求項１記載の車両用情報提供装置。
【発明の詳細な説明】
【技術分野】
【０００１】
本発明は、車両の利用者に各種情報を提供する車両用情報提供装置に関し、特に、車両搭載機器（車両用計器）と外部機器とを利用して各種情報を提供する車両用情報提供装置に関するものである。
【背景技術】
【０００２】
従来より、この種の車両用情報提供装置のごとき情報表示システムとしては、例えば下記特許文献１に記載されているものが知られている。この特許文献１に記載の情報表示システムにおいては、車載ナビゲーション装置などの車載機（車両搭載機器）と携帯端末（外部機器）とが有線あるいは無線により接続され、車載機と携帯端末との接続状態が検出されると、携帯端末側の制御装置は携帯端末の画面に表示されている表示データ（車両の外部情報）を車載機側に供給し、車載機側の制御装置は、携帯端末から供給された表示データを車載機側デイスプレイに表示するようになっている。
【０００３】
これにより、車両の利用者は携帯端末の画面に表示されるべき情報をより大画面の車載機側ディスプレイ（表示部）で視認することができる。大画面の車載機側ディスプレイとしては例えば前記ナビゲーション装置を適用した場合、車両内の最適な位置に設置された当該大画面の車載機側ディスプレイで携帯端末の表示情報を確認することができる。
【先行技術文献】
【特許文献】
【０００４】
【特許文献１】特開２００３−２４４３４３号公報
【発明の概要】
【発明が解決しようとする課題】
【０００５】
上述した特許文献１に記載の情報表示システムにあっては、携帯端末の画面に表示された前記表示データをより画面サイズの大きい車載機側ディスプレイに表示するため、車両の利用者は、この携帯端末の画面に表示された前記表示データを容易に確認することが可能となる。
【０００６】
ところで、車両の利用者へ、携帯端末の持っている外部情報（車両の外部情報）のうち音情報を利用して車載機の商品性を向上させることに関して改善の余地があった。
【０００７】
例えば車載機（車両搭載機器）が車両用メータ（車両用計器）の場合、車両の各種状態に応じて各種の音情報（オープニング音やエンディング音、警報音等の吹鳴音）を出力するが、これらの吹鳴音を出力させるための音源は、予め車両用メータに搭載（内蔵）されていることが一般的である。しかしながら、利用者の好みに応じた吹鳴音を出力するためには、様々な吹鳴音に対応すべく、音源ＩＣ等の専用の音源を車両用メータに搭載する必要がある。音源ＩＣ等の専用の音源を車両用メータに搭載した場合、車両用メータのコスト的な負担が大きくなり、好ましいものではなかった。
そこで、本発明は前述の課題に対して対処するため、車両搭載機器が車両の各種状態に応じて各種の吹鳴音を出力する場合、外部機器が備えている音情報を利用することで、車両搭載機器のコスト上昇を抑制することが可能な車両用情報提供装置の提供を目的とするものである。
【課題を解決するための手段】
【０００８】
本発明は、利用者へ車両の各種状態を視覚的に報知する第１の表示部と前記車両の各種状態を聴覚的に報知する聴覚情報提供手段と前記第１の表示部及び前記聴覚情報提供手段を動作させる第１の制御手段とを有する車両搭載機器と、前記車両搭載機器と接続手段を介して接続され、前記第１の制御手段に対して車両の外部情報を出力する第２の制御手段を有する外部機器とを備え、前記第１の制御手段は、前記車両の各種状態に応じて、前記第２の制御手段に起動信号を出力し、前記第２の制御手段は、前記起動信号を受信すると、前記起動信号に対応した前記車両の外部情報を前記第１の制御手段に出力し、前記第１の制御手段は、前記起動信号に対応した前記車両の外部情報が前記聴覚情報提供手段に備えられる吹鳴手段から吹鳴音として出力されるように、前記聴覚情報提供手段を動作させるとともに、前記吹鳴音の吹鳴と同期して前記吹鳴音と関連のある視覚情報を前記第１の表示部に表示させるべく、前記第１の表示部を動作させ、さらに前記第１の制御手段は、前記吹鳴音の吹鳴が停止してから所定時間経過後において、前記第１の表示部に表示されていた前記視覚情報が前記車両の各種状態を示す車両状態情報へと移行するように前記第１の表示部を動作させ、前記外部機器は、前記車両の外部情報を複数種、表示可能なカスタマイズ画面を構成する第２の表示部を有し、前記第２の表示部は、前記カスタマイズ画面にて前記利用者により複数種の前記車両の外部情報のうち所定の前記車両の外部情報が選択された際に、前記吹鳴手段から吹鳴される前記吹鳴音を前記利用者が選ぶことが可能な複数の選択肢を表示することを特徴とする。
【０００９】
また本発明は、前記車両の各種状態は、前記利用者が車両のドアを開けた第１の状態、または前記利用者が前記車両のドアを閉めた第２の状態のうち何れかの状態であり、前記吹鳴音は、前記第１の状態または前記第２の状態を契機として、前記吹鳴手段から出力されるオープニング音からなることを特徴とする。
【発明の効果】
【００１５】
本発明は、車両搭載機器が車両の各種状態に応じて各種の音情報を吹鳴する場合、外部機器が備えている音情報を利用することで、車両搭載機器のコスト上昇を抑制することが可能な車両用情報提供装置を提供できる。
【図面の簡単な説明】
【００１６】
【図１】本発明の第１実施形態による車両用情報提供装置と各種電装品の接続状態を示すブロック図。
【図２】同第１実施形態による車両用情報提供装置のブロック図。
【図３】図２中、聴覚情報提供手段と第１の通信部の構成を詳細に示した車両用情報提供装置のブロック図。
【図４】同第１実施形態による車両搭載機器の一例を示す概観図。
【図５】同第１実施形態による起動信号に対応した車両の外部情報（音情報）を吹鳴手段から吹鳴させる際の車両搭載機器の動作を示すタイミングチャート。
【図６】（ａ）は同第１実施形態による第１の表示部にオープニング表示が表示された状態を示す図であり、（ｂ）は同第１実施形態による第１の制御手段が車両の外部情報を受信したときの第１の表示部の表示レイアウトを示す図である。
【図７】本発明の第２実施形態による警報音を吹鳴手段から吹鳴させる際の車両搭載機器の動作を示すタイミングチャート
【図８】同第２実施形態による第１の制御手段が警告信号を受信したときの第１の表示部の表示レイアウトを示す図である。
【図９】（ａ）は本発明の第３実施形態によるカスタマイズアプリケーションが起動したときの第２の表示部に表示される車両の外部情報のカスタマイズ画面を示し、（ｂ）は図９（ａ）において利用者がオープニング音を選択したときのカスタマイズ画面を示す図である。
【発明を実施するための形態】
【００１７】
（第１実施形態）以下、図１〜図６に基づいて、本発明の第１実施形態を説明する。
【００１８】
図１は、本発明の一実施形態を示すブロック図であり、図１中、１００は車両を示している。また１０１は車両用情報提供装置であり、この車両用情報提供装置１０１は、車両搭載機器（ここでは車両用計器とする）１０２と、携帯情報機器である外部機器（ここではスマートフォンとする）１０３と、車両搭載機器１０２と外部機器１０３とを接続する接続手段１０４とから構成される。
【００１９】
車両搭載機器１０２は、車内ＬＡＮ（多重通信ライン）１０５を介して、オーディオ１０６、エアコン１０７、ボディ制御部１０８、エンジン制御部１０９等の電装品と接続されている。また、接続手段１０４を介して車両搭載機器１０２と接続される外部機器１０３は、通信手段１１０を介してインターネットとの接続も可能である。
【００２０】
次に、図２を用いて、車両搭載機器１０２と外部機器１０３とから主に構成される車両用情報提供装置１０１の構成を詳細に説明する。車両搭載機器１０２は、車両の各種状態に関する各情報（車両状態信号）の入出力を行う車両情報端子（車両情報手段）２１０及び多重通信入出力端子（多重通信入出力手段）２１１と、所定の操作手段２１３からの操作入力信号を入力可能な操作情報端子２１２と、車両インターフェース（車両Ｉ／Ｆ）手段２０１と、車両搭載機器１０２の制御を行う第１の制御手段２０２と、第１の制御手段２０２の処理プログラムが格納されるフラッシュメモリやＥＥＰＲＯＭ等の不揮発性メモリからなる第１の記憶手段（記憶手段）２０３と、車両の利用者へ各種情報（車両の各種状態）を視覚的に報知する液晶表示パネルや有機ＥＬパネル等の第１の表示部（表示部）２０４と車両の利用者へ各種情報（車両の各種状態）を聴覚的に報知する聴覚情報提供手段２０５とからなる第１の報知手段２０６と、第１の表示部２０４と各種アナログ式（指針式）計器２０７との駆動制御を兼ねた第１の駆動手段２０８と、外部機器１０３と接続するための接続手段１０４を構成する無線通信手段としての第１の通信部（ここではＢｌｕｅｔｏｏｔｈ（登録商標）とする）２２０とを有している。
【００２１】
第１の制御手段２０２は、例えばマイクロコンピュータからなり、前記車両状態信号や後述する制御信号に基づいて、第１の表示部２０４及び聴覚情報提供手段２０５を動作させる制御を行うものである。
【００２２】
また、本例における第１の表示部２０４は、車両の利用者によるタッチ操作が可能なタッチパネルを含むタッチ型ディスプレイからなる。このタッチ型ディスプレイとしての第１の表示部２０４は、例えば液晶表示パネルの表示エリア上に抵抗膜方式や静電容量方式等のタッチパネルが重ねて配置された構成となっており、車両の利用者が前記表示エリアに対応するタッチパネル箇所をタッチ操作することにより、スイッチとして機能する。
【００２３】
各種アナログ式計器２０７は、ここでの詳細図示は省略するが、車両の速度をアナログ指示する速度計と、車両のエンジン回転数をアナログ指示する回転計と、タンク内燃料量をアナログ指示する燃料計と、エンジン冷却水の温度をアナログ表示する温度計とのうち少なくとも１つを備えている。
【００２４】
第１の通信部２２０は、外部機器１０３に備えられる後述する第２の通信部２６０との間で無線通信を行うものである。つまり、第１の通信部２２０は、外部機器１０３に備えられる第２の通信部２６０と間でデータのやりとりが可能となる。
【００２５】
なお、車両が自動二輪車である場合、図２で示す無線化されたワイヤレスヘッドセットからなるヘッドセット２１４が、Ｂｌｕｅｔｏｏｔｈ（登録商標）通信としての無線通信手段２１５を介して、車両搭載機器１０２に備えられる第１の通信部２２０と接続されるようにしてもよい。
【００２６】
ヘッドセット２１４は、ここでの詳細図示は省略するが、例えば自動二輪車に搭乗する搭乗者（利用者）が装着するヘルメットに収められたヘッドフォン及びマイクロフォン（マイク）と、第１の通信部２２０との間で無線通信を行うことが可能な第３の通信部を有している。これにより、例えば外部機器１０３側から各通信部２６０、２２０経由で車両搭載機器１０２に対し電話の着信情報（車両の外部情報）が伝送された場合にあっては、搭乗者（利用者）は、ヘッドセット２１４のヘッドフォン及びマイクロフォンを用いて、外部機器１０３に電話をかけてきた相手と通話をすることが可能となる。
【００２７】
また、操作手段２１３は、車両搭載機器１０２の各種操作を行うための操作入力部からなり、例えば利用者の手が届くように車内の適宜箇所に設置されたカーソルボタンや決定ボタン等を含む略十字キー型の操作入力部を適用でき、利用者が操作手段２１３を操作することにより操作手段２１３から出力される外部機器１０３側への操作入力信号（遠隔操作入力信号）は、操作情報端子２１２並びに車両インターフェース手段２０１を通じて第１の制御手段２０２へと入力され、さらに接続手段１０４を介して外部機器１０３側へと至る。なお、操作手段２１３は、上述した十字キー型の操作入力部に代えてタッチパネル型の操作入力部を適用することも可能である。
【００２８】
外部機器１０３は、車両搭載機器１０２と接続するための接続手段１０４を構成する無線通信手段としての第２の通信部（ここではＢｌｕｅｔｏｏｔｈ（登録商標）とする）２６０と、各種センサ（ここではＧＰＳモジュールとする）２６１と、インターフェース（Ｉ／Ｆ）手段２５１と、外部機器１０３の制御を行う第２の制御手段２５２と、第２の制御手段２５２の処理プログラムが格納されるフラッシュメモリやＥＥＰＲＯＭ等の不揮発性メモリからなる第２の記憶手段２５３と、車両の利用者へ各種情報（車両の各種状態）を視覚的に報知するタッチパネル付ディスプレイ等の第２の表示部２５４と車両の利用者へ各種情報（車両の各種状態）を聴覚的に報知するスピーカ等の発音体２５５とからなる第２の報知手段２５６と、第２の表示部２５４と発音体２５５の駆動制御を兼ねた第２の駆動手段２５７と、インターネットと接続するための通信手段１１０を構成する通信モジュール２５８とを有している。
【００２９】
第２の制御手段２５２は、例えばマイクロコンピュータからなり、車両搭載機器１０２（第１の制御手段２０２）に対して、車両の外部情報を出力するものである。
【００３０】
なお、本実施形態では、車両搭載機器１０２と外部機器１０３の接続手段１０４に無線通信手段からなる第１、第２の通信部２２０、２６０を適用したが、これに限定されるものではなく、ＵＳＢ等の有線接続手段からなる接続手段１０４を用いて車両搭載機器１０２と外部機器１０３とを接続することも可能である。
【００３１】
また、本実施形態では、第１の通信部２２０を車両搭載機器１０２内に設けたが、これに限定されるものではなく、例えば車内ＬＡＮ１０５と接続される図示しないゲートウェイ（Ｇ／Ｗ）手段を設けて、前記ゲートウェイ手段の中に第１の通信部２２０を内蔵することにより、車両搭載機器１０２と外部機器１０３とを接続することも可能である。
【００３２】
図３は、車両搭載機器１０２と外部機器１０３とが無線接続される場合の、第１の制御手段２０２と第１の通信部２２０と聴覚情報提供手段２０５と外部機器１０３のブロック図を示している。
【００３３】
この無線接続に対応した第１の通信部２２０は、アンテナ２２１と、無線Ｉ／Ｆ２２２と、デコーダ（無線用デコーダ）２２３と、Ｄ／Ａコンバータ２２４とから主に構成され、第１の制御手段２０２は、アンテナ２２１と無線Ｉ／Ｆ２２２とデコーダ２２３とＤ／Ａコンバータ２２４の制御を行うものとする。
【００３４】
また、聴覚情報提供手段２０５は、後述する第１の音信号と後述する第２の音信号とを混合（ミキシング）するミキシング手段Ｂ１と、このミキシング手段Ｂ１と後述する吹鳴手段との間に介在し、ミキシング手段Ｂ１から出力されるミキシング信号を増幅するアンプＢ２と、このアンプＢ２からの増幅信号（増幅ミキシング信号）に基づいて、車両の利用者に対し吹鳴音を吹鳴するスピーカ等からなる吹鳴手段Ｂ３とを備えている。
【００３５】
そして、第２の制御手段２５２による制御のもと、外部機器１０３側から出力される車両の外部情報（音情報）は、接続手段１０４を介して第１の通信部２２０へと伝送され、第１の制御手段２０２による制御のもと、アンテナ２２１と無線Ｉ／Ｆ２２２とデコーダ２２３とＤ／Ａコンバータ２２４とを介して、第１の音信号Ｃ１に変換され、聴覚情報提供手段２０５に備えられるミキシング手段Ｂ１に入力される。なお、第１の音信号Ｃ１は、ミキシング手段Ｂ１にて第１の制御手段２０２が出力する前記第２の音信号と混合される。
【００３６】
次に、図３〜図６を用いて、音情報（車両の外部情報）を車両搭載機器１０２（聴覚情報提供手段２０５）に備えられる吹鳴手段Ｂ３から吹鳴させる際の車両搭載機器１０２の動作について説明する。
【００３７】
ここで、図４に示すように車両搭載機器１０２に備えられる第１の表示部２０４は、車両の利用者へ車両の各種状態を車両状態情報として表示する計器用のタッチ型ディスプレイからなる。
【００３８】
また、図５は、音情報としての車両の外部情報（ここではオープニング音とする）を聴覚情報提供手段２０５に備えられる吹鳴手段Ｂ３から吹鳴させる際の車両搭載機器１０２の動作を示すタイムチャートを示している。
【００３９】
まず、時刻Ｓ１において、第１の制御手段２０２は、多重通信入出力端子２１１（あるいは車両情報端子２１０）を介して、車両のドアが開いたことを示すドア開信号である車両状態信号を受信し、このドア開信号に基づいて起動信号（オープニング指示信号）である制御信号Ｃ２を出力する。
【００４０】
そして、この第１の制御手段２０２から出力された制御信号Ｃ２は、第１の通信部２２０（無線Ｉ／Ｆ２２２）、接続手段１０４を介して第２の制御手段２５２（外部機器１０３）へと伝送される。つまり、この場合、第１の制御手段２０２は、車両の各種状態に応じて、第２の制御手段２５２に制御信号Ｃ２を出力する構成となっている。
【００４１】
次に、時刻Ｓ２において、起動信号（オープニング指示信号）としての制御信号Ｃ２を受信した第２の制御手段２５２（外部機器１０３）は、外部機器１０３のアプリケーションを起動し、制御信号Ｃ２に応じた前記音情報である車両の外部情報（オープニング音）を出力する。つまり、このことは、第２の制御手段２５２は、制御信号Ｃ２を受信すると、当該制御信号Ｃ２に対応した車両の外部情報（オープニング音）を車両搭載機器１０２（第１の制御手段２０２）に出力することを意味している。
【００４２】
この（接続手段１０４を介して）車両搭載機器１０２側に出力される無線信号（オープニング音）としての車両の外部情報は、第１の制御手段２０２による制御のもと、アンテナ２２１と無線Ｉ／Ｆ２２２とデコーダ２２３とＤ／Ａコンバータ２２４とを介して、第１の音信号Ｃ１に変換される。
【００４３】
そして、第１の制御手段２０２は、第１の音信号Ｃ１（制御信号Ｃ２）に対応したオープニング音（車両の外部情報）が聴覚情報提供手段２０５に備えられる吹鳴手段Ｂ３から吹鳴音として出力されるように、聴覚情報提供手段２０５を動作させる制御を行う。
【００４４】
つまり、この際、第１の制御手段２０２による制御のもと、第１の音信号Ｃ１が、ミキシング手段Ｂ１及びアンプＢ２を介して吹鳴手段Ｂ３へと出力されることで、吹鳴手段Ｂ３からオープニング音からなる吹鳴音が吹鳴される。例えば、この利用者が車両のドアを開けたときに吹鳴されるオープニング音としては、例えば波の音からなる効果音を採用することができる。このように本例の場合、前記車両の各種状態は、利用者が車両のドアを開けた第１の状態であり、吹鳴音は、前記第１の状態を契機として、吹鳴手段Ｂ３から出力されるオープニング音からなる。
【００４５】
なお、第１の制御手段２０２は、オープニング音を吹鳴音として吹鳴手段Ｂ３から吹鳴させることに同期して、当該オープニング音と関連のあるオープニング表示からなる視覚情報Ｆ１を第１の表示部２０４に表示させるべく、第１の表示部２０４（第１の報知手段２０６）を動作させるようにしてもよい（図６（ａ）参照）。例えば、オープニング表示からなる視覚情報Ｆ１としては、「ＷＥＬＣＯＭＥ」等からなる文字表示を採用することができる。
【００４６】
次に、時刻Ｓ３において、第１の制御手段２０２は、多重通信入出力端子２１１（あるいは車両情報端子２１０）を介して、車両のドアが閉じられたことを示すドア閉信号である車両状態信号を受信する。
【００４７】
次に、時刻Ｓ４において、第１の制御手段２０２は、オープニング音の吹鳴が停止されるように、聴覚情報提供手段２０５を動作させる処理を実行する。
【００４８】
また、時刻Ｓ４から所定時間が経過した後の時刻Ｓ５において、第１の制御手段２０２は、第１の表示部２０４に表示されていたオープニング表示（視覚情報Ｆ１）を通常表示へと移行させるように、第１の表示部２０４を表示動作させる処理を実行する。
【００４９】
このとき、第１の制御手段２０２は、多重通信入出力端子２１１（あるいは車両情報端子２１０）を介して車両状態信号を受信すると同時に、外部機器１０３側から各通信部２６０、２２０経由で車両の外部情報（ここではナビゲーション情報とする）を受信し、車両状態信号やナビゲーション情報に基づいて図６（ｂ）に示すような通常表示に対応する表示情報を第１の表示部２０４に表示させるべく、第１の表示部２０４を表示動作させる制御を行う。
【００５０】
この通常表示において、第１の表示部２０４は、区分けされた第１の表示領域Ｒ１と第２の表示領域Ｒ２とを有する。第１の表示部２０４の上側に位置する第１の表示領域Ｒ１には、車両の走行速度を表示する車速表示部３００とシフトポジションを表示するシフトポジション表示部３１０と燃料の残量を表示する燃料残量表示部３２０と車両の進行方向を示す方向指示表示部３３０とでなる車両状態情報が表示される。
【００５１】
一方、第１の表示部２０４の下側に位置する第２の表示領域Ｒ２には、車両の平均燃費を表示する車両状態情報としての燃費表示部３４０と、前記ナビゲーション情報としてのナビゲーション表示部３５０とが表示される。
【００５２】
燃費表示部３４０とナビゲーション表示部３５０とは、第２の表示領域Ｒ２において、左右に並設され、例えば本例の場合、燃費表示部３４０は第２の表示領域Ｒ２の左側エリアに表示され、ナビゲーション表示部３５０は第２の表示領域Ｒ２の右側エリアに表示されている。
【００５３】
この車両の外部情報であるナビゲーション表示部３５０は、矢印表示３５１と、交差点名表示３５２と、交差点までの残距離表示３５３とを含むターンバイターン表示からなるものである。また、車両の外部情報は、ナビゲーション表示部３５０以外に、メールの着信情報や電話の着信情報、音楽情報等であってもよい。
【００５４】
なお、車両の外部情報として上記ターンバイターン表示を行うとき、第２の制御手段２５２は、接続手段１０４（各通信部２２０、２６０）を介して車両搭載機器１０２側に画像情報を出力する代わりにコマンドを出力してもよい。例えば、予め第１の記憶手段２０３に複数種類のターンバイターン表示情報を格納しておき、第１の制御手段２０２は、前記コマンドに対応するターンバイターン表示情報を第１の記憶手段２０３から読み出して第１の表示部２０４へ表示することで対応可能である。
【００５５】
これにより、接続手段１０４（各通信部２２０、２６０）を介して第２の制御手段２５２から車両搭載機器１０２側へと出力する情報量を削減することが可能である。また、ナビゲーション表示部３５０は、ターンバイターン表示に代えて地図表示を適用してもよい。このときは、第２の制御手段２５２は、接続手段１０４（各通信部２２０、２６０）を介して画像情報を出力するものとする。
【００５６】
以上のように本実施形態では、利用者へ車両の各種状態を視覚的に報知する第１の表示部２０４と利用者へ車両の各種状態を聴覚的に報知する聴覚情報提供手段２０５と第１の表示部２０４及び聴覚情報提供手段２０５を動作させる第１の制御手段２０２とを有する車両搭載機器１０２と、車両搭載機器１０２と接続手段１０４を介して接続され、第１の制御手段２０２に対して車両の外部情報を出力する第２の制御手段２５２を有する外部機器１０３とを備え、第１の制御手段２０２は、車両の各種状態（前記ドア開信号）に応じて、第２の制御手段２５２に制御信号（起動信号）Ｃ２を出力し、第２の制御手段２５２は、制御信号Ｃ２を受信すると、制御信号Ｃ２に対応した車両の外部情報（オープニング音）を第１の制御手段２０２に出力し、第１の制御手段２０２は、制御信号Ｃ２に対応した車両の外部情報（オープニング音）が聴覚情報提供手段２０５に備えられる吹鳴手段Ｂ３から吹鳴音として出力されるように、聴覚情報提供手段２０５を動作させるものである。
【００５７】
従って、外部機器１０３からの音情報を利用して、車両搭載機器１０２に備えられる吹鳴手段Ｂ３から吹鳴音（オープニング音）を出力させることが可能となり（つまり、オープニング音の音源が外部機器１０３となり）、吹鳴手段Ｂ３からオープニング音を出力させるにあたって、車両搭載機器１０２側に音源ＩＣ等の専用の音源を別途、設けることが不要となるため、車両搭載機器のコスト上昇を抑制することができるという利点がある。また、オープニング音の音源を外部機器１０３とすることで、吹鳴手段Ｂ３から出力されるオープニング音の音質（商品性）向上を図ることができるという利点がある。
【００５８】
また本実施形態では、第１の制御手段２０２は、オープニング音（車両の外部情報）を吹鳴音として吹鳴手段Ｂ３から吹鳴させることに同期して、オープニング音（吹鳴音）と関連のある視覚情報Ｆ１を第１の表示部２０４に表示させるべく、第１の表示部２０４（第１の報知手段２０６）を動作させることにより、音情報（聴覚情報）と視覚情報とを併用することで演出効果を高めることができるという利点がある。また、音情報（聴覚情報）に加えて視覚情報を用いることで、利用者にとって分かり易く、商品性の向上した車両用情報提供装置を提供することができる。
【００５９】
また本実施形態では、利用者が車両のドアを開けた前記第１の状態を契機として、オープニング音が吹鳴手段Ｂ３から出力される例について説明したが、例えば利用者が（運転席に着座し）車両のドアを閉めた第２の状態を契機として、吹鳴手段Ｂ３からオープニング音が出力されるような構成としてもよい。つまり、この場合、車両の各種状態は、利用者が車両のドアを閉めた前記第２の状態であり、吹鳴音は、前記第２の状態を契機として、吹鳴手段Ｂ３から出力されるオープニング音からなる構成となる。さらに、場合によっては、前記車両の各種状態を利用者が始動スイッチをオン操作した状態（第５の状態）とし、この状態を契機として吹鳴手段Ｂ３からオープニング音を出力することも可能である。
【００６０】
また本実施形態では、吹鳴手段Ｂ３からオープニング音が出力される例について説明したが、例えばオープニング音に代えて吹鳴手段Ｂ３からエンディング音を出力することも可能である。この場合、前記車両の各種状態は、利用者が（車両を停止させた後に）始動スイッチをオフ操作した第３の状態、または利用者が（当該始動スイッチのオフ操作後に）車両のドアを開けた第１の状態のうち何れかの状態であり、吹鳴音は、前記第３の状態または前記第１の状態を契機として、吹鳴手段Ｂ３から出力されるエンディング音からなる構成となる。なお、吹鳴手段Ｂ３から波の音等の効果音からなるエンディング音が出力（吹鳴）されるのと同期して（同時に）、第１の表示部２０４に「ＧＯＯＤ  ＢＹＥ」等の文字表示からなる視覚情報（エンディング表示）を表示してもよい。
【００６１】
また本実施形態では、吹鳴手段Ｂ３からオープニング音が出力される例について説明したが、例えばオープニング音の他にも吹鳴手段Ｂ３から各種の警報音を出力することも可能である。この場合、前記車両の各種状態は、利用者に対し注意喚起を促すための所定の注意喚起情報（一例として残燃料が僅かとなったことを利用者に対し注意喚起するための警告情報）が発生した第４の状態であり、吹鳴音は、前記第４の状態を契機として、吹鳴手段Ｂ３から出力される警報音からなる構成となる。例えば、この吹鳴手段Ｂ３から出力される警報音としては、「ピッピッピッ」等の効果音を適用することができる。
【００６２】
（第２実施形態）次に、本発明の第２実施形態を図７、図８に基づいて説明するが、前述の第１実施形態と同一もしくは相当個所には同一の符号を用いてその詳細な説明は省略する。
【００６３】
図７は、音情報としての車両の外部情報（ここではシートベルト未着用警報音とする）を聴覚情報提供手段２０５に備えられる吹鳴手段Ｂ３から吹鳴させる際の車両搭載機器１０２の動作を示すタイムチャートを示している。
【００６４】
まず、時刻Ｔ１において、第１の制御手段２０２は、多重通信入出力端子２１１（あるいは車両情報端子２１０）を介して、利用者がシートベルトを着用していないことを示すシートベルト未着用信号（警告信号）である車両状態信号を受信し、このシートベルト未着用信号に基づいて起動信号（シートベルト指示信号）である制御信号Ｃ２を出力する（図３参照）。
【００６５】
そして、この第１の制御手段２０２から出力された制御信号Ｃ２は、第１の通信部２２０（無線Ｉ／Ｆ２２２）、接続手段１０４を介して第２の制御手段２５２（外部機器１０３）へと伝送される。つまり、この場合、第１の制御手段２０２は、車両の各種状態に応じて、第２の制御手段２５２に制御信号Ｃ２を出力する構成となっている。
【００６６】
次に、時刻Ｔ２において、第１の制御手段２０２は、利用者がシートベルトを着用していないことに基づいて、車両搭載機器１０２が、元々、持っている第２の音信号Ｓ３を出力し、ミキシング手段Ｂ１及びアンプＢ２を介して吹鳴手段Ｂ３で、例えば「ポーン、ポーン」からなるシートベルト未着用警報音である他の吹鳴音を吹鳴させる。
【００６７】
このとき、当該シートベルト未着用警報音の吹鳴とともに、第１の制御手段２０２は、前記シートベルト未着用信号に基づいて、第２の表示領域Ｒ２に表示されていたナビゲーション表示部３５０の一部が警告表示部３６０へと切替表示されるように、第１の表示部２０４を表示動作させる制御を行う（図８参照）。
【００６８】
具体的には、第１の表示部２０４において、第２の表示領域Ｒ２に表示されていた矢印表示３５１と交差点名表示３５２とが非表示状態となり、それまで矢印表示３５１と交差点名表示３５２とが表示されていた箇所に「シートベルトを着用して下さい」なる警告表示部３６０が割り込むように表示される。
【００６９】
次に、時刻Ｔ３において、起動信号（シートベルト指示信号）としての制御信号Ｃ２を受信した第２の制御手段２５２（外部機器１０３）は、外部機器１０３のアプリケーションを起動し、時刻Ｔ１から所定時間経過したことを待って、制御信号Ｃ２に応じた前記音情報である車両の外部情報（シートベルト未着用警報音）を出力する。つまり、このことは、第２の制御手段２５２は、制御信号Ｃ２を受信すると、当該制御信号Ｃ２に対応した車両の外部情報（シートベルト未着用警報音）を車両搭載機器１０２（第１の制御手段２０２）に出力することを意味している。
【００７０】
この（接続手段１０４を介して）車両搭載機器１０２側に出力される無線信号（シートベルト未着用警報音）としての車両の外部情報は、第１の制御手段２０２による制御のもと、アンテナ２２１と無線Ｉ／Ｆ２２２とデコーダ２２３とＤ／Ａコンバータ２２４とを介して、音声信号からなる第１の音信号Ｃ１に変換される。
【００７１】
そして、第１の制御手段２０２は、第１の音信号Ｃ１（制御信号Ｃ２）に対応したシートベルト未着用警報音（車両の外部情報）が聴覚情報提供手段２０５に備えられる吹鳴手段Ｂ３から吹鳴音として出力されるように、聴覚情報提供手段２０５を動作させる制御を行う。
【００７２】
つまり、この際、第１の制御手段２０２による制御のもと、第１の音信号Ｃ１が、ミキシング手段Ｂ１及びアンプＢ２を介して吹鳴手段Ｂ３へと出力されることで、吹鳴手段Ｂ３からシートベルト未着用警報音からなる吹鳴音が吹鳴される。例えば、この利用者がシートベルトを着用していないときに吹鳴されるシートベルト未着用警報音（吹鳴音）としては、「シートベルトを着用して下さい」等の音声を採用することができる。
【００７３】
なお、この時刻Ｔ３において、時刻Ｔ２から吹鳴を始めていた前記他の吹鳴音（「ポーン、ポーン」からなるシートベルト未着用警報音）の吹鳴を抑止（停止）する。つまり、本第２実施形態の場合、第１の制御手段２０２は、「シートベルトを着用して下さい」等の音声からなるシートベルト未着用警報音（車両の外部情報）を吹鳴音として吹鳴手段Ｂ３から吹鳴させるとき、当該吹鳴音とは異なる前記他の吹鳴音が予め吹鳴手段Ｂ３から吹鳴している条件下においては、前記他の吹鳴音の吹鳴を抑止すべく、聴覚情報提供手段２０５を動作させる処理を実行する。
【００７４】
次に、時刻Ｔ４において、第１の制御手段２０２は、前記シートベルト未着用信号を継続して受信していることから、吹鳴音（つまり「シートベルトを着用して下さい」等の音声からなるシートベルト未着用警報音）の吹鳴を終了させるとともに、前記他の吹鳴音の吹鳴の抑止を解除すべく、聴覚情報提供手段２０５を動作させる制御を行う。つまり、時刻Ｔ４においては、時刻Ｔ２から時刻Ｔ３にて吹鳴していた前記他の吹鳴音が、再度、吹鳴する構成となる。
【００７５】
次に、時刻Ｔ５において、第１の制御手段２０２は、多重通信入出力端子２１１（あるいは車両情報端子２１０）を介して、利用者がシートベルトを着用したことを示すシートベルト着用信号である車両状態信号を受信する。
【００７６】
そして、時刻Ｔ５から所定時間経過後の時刻Ｔ６において、第１の制御手段２０２は、前記他の吹鳴音の吹鳴を終了させるとともに、第２の表示領域Ｒ２に割り込むように表示されていた警告表示部３６０の表示を非表示とすべく、第１の報知手段２０６（第１の表示部２０４及び聴覚情報提供手段２０５）を動作させる制御を行う。つまり、この時刻Ｔ６では、第１の表示部２０４に表示される表示情報が、図８の状態から図６（ｂ）の状態へと遷移することになる。
【００７７】
以上のように、本第２実施形態によれば、第１の制御手段２０２は、「シートベルトを着用して下さい」等の音声からなるシートベルト未着用警報音（車両の外部情報）を吹鳴音として吹鳴手段Ｂ３から吹鳴させるとき、当該吹鳴音とは異なる前記他の吹鳴音（「ポーン、ポーン」からなるシートベルト未着用警報音）が予め吹鳴手段Ｂ３から吹鳴している条件下においては、前記他の吹鳴音の吹鳴を抑止すべく、聴覚情報提供手段２０５を動作させる処理を実行することにより、利用者は（外部機器１０３を音源とした）上記吹鳴音を聞き取り易くなり、ヒューマン・マシン・インターフェイス（ＨＭＩ）の向上した車両用情報提供装置を提供することができる。
【００７８】
（第３実施形態）次に、本発明の第３実施形態を図９に基づいて説明するが、前述の第１、第２実施形態と同一もしくは相当個所には同一の符号を用いてその詳細な説明は省略する。
【００７９】
図９（ａ）は、利用者による第２の表示部２５４のタッチ操作により、カスタマイズアプリケーションが起動したときの第２の表示部２５４に表示される音情報（車両の外部情報）のカスタマイズ画面を示している。
【００８０】
この場合、外部機器１０３は、音情報（車両の外部情報）を複数種、表示可能な第２の表示部２５４を有し、例えば第２の表示部２５４には、音情報（車両の外部情報）として、オープニング音４１０、エンディング音４２０、各種警報音４３０からなる３種類の選択項目４００が表示されている。
【００８１】
ここで、例えば利用者が３種類の選択項目４００のうち、オープニング音４１０を選択（タッチ操作）すると、オープニング音なる文字表示の表示色が変化して、図９（ｂ）に示すオープニング音の選択画面に遷移する。
【００８２】
例えば、このオープニング音の選択画面には、３種類の選択肢４４０が表示される。ここでの３種類の選択肢４４０は、波の音からなる第１選択肢４５０と、風鈴の音からなる第２選択肢４６０と、飛行機離陸時の音からなる第３選択肢４７０とから構成される。
【００８３】
ここで、利用者が第２の表示部２５４に表示される３種類の選択肢４４０のうち、例えば第１選択肢４５０を選択（タッチ操作）すると、第１選択肢４５０の表示色が変化するとともに、外部機器１０３に備えられる発音体２５５から波の音からなるオープニング音が吹鳴される。つまり、この場合、利用者は、第２の表示部２５４に表示される３つの選択肢である複数種の音情報（車両の外部情報）のうち、所定の車両の外部情報（１つの選択肢）を選択できるように構成されている。
【００８４】
この際、発音体２５５から吹鳴されるオープニング音が、利用者の好みに合えば、利用者は図９（ｂ）中、「戻る」なる表示箇所をタッチ操作することで、オープニング音のカスタマイズ操作は終了する。以降、外部機器１０３に備えられる第２の制御手段２５２は、上述した図５の説明のように音情報（車両の外部情報）として波の音からなるオープニング音（吹鳴音）を吹鳴手段Ｂ３から出力するとき、第１選択肢４５０を選択する。
【００８５】
以上のように、本第３実施形態によれば、外部機器１０３は、音情報（車両の外部情報）を複数種、表示可能な第２の表示部２５４を有し、利用者は、第２の表示部２５４に表示される複数種の音情報（車両の外部情報）のうち、所定（単一）の音情報（車両の外部情報）を選択できるように構成されていることにより、吹鳴手段Ｂ３からオープニング音やエンディング音、各種警報音等の吹鳴音を出力させるにあたって、外部機器１０３の第２の表示部２５４に表示されるカスタマイズ画面で、利用者の好みに合った音情報を選択することができ、且つ、前記専用の音源を別途、設けることが不要となるため、車両搭載機器１０２のコスト上昇を抑制することができるとともに、利用者の好みに応じた吹鳴音を提供することができる。
【産業上の利用可能性】
【００８６】
本発明は、車両搭載機器と外部機器を利用した車両用情報提供装置に関し、車両搭載機器としては車両情報を表示する車両用メータ（車両用計器）のみならず、車両に搭載されるナビゲーション装置やマルチディスプレイ装置等にも適用可能である。
【符号の説明】
【００８７】
１０１  車両用情報提供装置
１０２  車両搭載機器
１０３  外部機器
１０４  接続手段
２０２  第１の制御手段
２０４  第１の表示部
２０５  聴覚情報提供手段
２２０  第１の通信部
２５２  第２の制御手段
２６０  第２の通信部
３５０  ナビゲーション表示部（車両の外部情報）
Ｂ３  吹鳴手段
Ｃ１  第１の音信号
Ｃ２  制御信号（起動信号）
Ｃ３  第２の音信号
Ｆ１  視覚情報
Ｒ１  第１の表示領域
Ｒ２  第２の表示領域
【図１】
0006460378.tif 000002
【図２】
0006460378.tif 000003
【図３】
0006460378.tif 000004
【図４】
0006460378.tif 000005
【図５】
0006460378.tif 000006
【図６】
0006460378.tif 000007
【図７】
0006460378.tif 000008
【図８】
0006460378.tif 000009
【図９】
0006460378.tif 000010